(57)【要約】【課題】練習者に向けて開口部が大きく開口した、簡単に組み立て可能で小さく折り畳んで収納できる箱型タイプのゴルフ練習用具を提供すること。【解決手段】練習者に向けて開口する箱型のゴルフ練習用具Ａであって、リング体を備えたリング構造で形成された枠体１１よりなる開口部１と、それぞれリング体を備えたリング構造で形成された枠体２１、３１、及び４１と該枠体２１、３１、及び４１に張設された膜部材２２、３２、及び４２とよりなる右側面部２、左側面部３、及び背面部４と、該開口部１、右側面部２、左側面部３、及び背面部４のそれぞれの枠体１１、２１、３１、及び４１に張設された膜部材５１よりなる上面部５と、該ゴルフ練習用具Ａの下部に床面から離間した状態に張設され且つ該ゴルフ練習用具Ａの前方に傾斜状に延設された舌状部８と、を備えることを特徴とするゴルフ練習用具。【選択図】  図１
2004254943.tif 000002
【特許請求の範囲】
【請求項１】
開口部を練習者に向けて使用する枠体を有する箱型のゴルフ練習用具であって、枠体をリング構造で形成したことを特徴とするゴルフ練習用具。
【請求項２】
開口部を練習者に向けて使用する枠体を有する箱型のゴルフ練習用具であって、該開口部、右側面部、左側面部、及び背面部のそれぞれの枠体をリング構造で形成したことを特徴とするゴルフ練習用具。
【請求項３】
前記リング構造は、長円状又は楕円状の形状記憶性を有するリング体を備えることを特徴とする請求項１又は２記載のゴルフ練習用具。
【請求項４】
前記リング体は、断面矩形状の金属のワイヤリングであることを特徴とする請求項３記載のゴルフ練習用具。
【請求項５】
前記右側面部及び左側面部は、それぞれの枠体に張設されたネットで形成され、且つ前記背面部は、枠体に張設された可撓性シートで形成されていることを特徴とする請求項２記載のゴルフ練習用具。
【請求項６】
前記ゴルフ練習用具は、その上面部が前記開口部、右側面部、左側面部、及び背面部のそれぞれの枠体間に張設されたネットで形成され、且つその底面部は、前記背面部を形成する可撓性シートの下端が前方に延設され、前記開口部、右側面部、及び左側面部のそれぞれの枠体と該背面部の枠体との間に張設されて形成されていることを特徴とする請求項５記載のゴルフ練習用具。
【請求項７】
枠体を捩じるように折り込むことで、右側面部、左側面部、及び背面部がそれぞれ重なるように折り畳み可能であることを特徴とする請求項６記載のゴルフ練習用具。
【請求項８】
更に枠体を捩じるように折り込むことで、右側面部、左側面部、及び背面部が更に２つに折り畳み可能であることを特徴とする請求項７記載のゴルフ練習用具。
【発明の詳細な説明】
【０００１】
【発明の属する技術分野】
本発明は、ゴルフ練習用具のリング構造に関し、更に詳しくは、練習者に向けて開口部が大きく開口した、簡単に組み立て可能で小さく折り畳んで収納できる箱型タイプのゴルフ練習用具に関する。
【０００２】
【従来の技術】
一般家庭等においてゴルフの練習を行うためのゴルフ練習用具としては、従来から、屋上や広い庭に張設するゲージ型のドライバーショット用ネットや、室内に敷設するカップ用穴付きのパター用人工芝マット、屋外や室内に垂設する同心円状のシート製標的等が知られている。
しかし、ショートアイアンを用いたアプローチの練習用具は、上記のゴルフ練習用具ほど数多くは上市されておらず、室内用のアプローチ練習用具となると、ほとんど見受けられないのが現状である。
【０００３】
室内でアプローチの練習をするものとして意図されたゴルフ練習用具としては、パッティング用人工芝と組み合わせたネット型のもの（特許文献１参照）や、ゴルフ練習具兼用傘（特許文献２参照）がある。
しかし、これらの練習用具では、ボールがネットや傘に当たった後、室内に散乱してしまうため、散乱を防止するための工夫が必要である。
【０００４】
室内にボールが散乱するのを防止するために、ボールを当てるためのネット部材の手前側にフロントネット部材を配した練習用具が提案されている（特許文献３参照）。
しかし、こうした構造では、練習用具が大型となり、狭い室内では必ずしも使い易いものとは言えない。
また、マンション等の集合住宅の場合、ボールがネット部材に当たった後、床上に落下する時の音が響き、騒音問題となりかねない。
【０００５】
室内用のアプローチ練習用具としては、上記のようなボールを当てて跳ね返すタイプのものではなく、寧ろボールを収容してしまう、いわゆる箱型タイプの練習用具の方が好ましいと言える。
即ち、練習者の方に向いて開口部を有し、その奥行にネットや可撓性シートを配したタイプの練習用具の方が、ボールの散乱を防止して確実に収容できるうえ、コンパクトに設計できる点で実用的である。
【０００６】
こうしたタイプの練習用具としては、パイプ等で骨組みを形成して、その間にネットを張るタイプのものが提案されている（特許文献４参照）。
しかし、この練習用具は、パイプをいちいちネットの網の目に通して組み立てなければならず、組み立てや分解・収納が必ずしも簡単なものとは言えない。
【０００７】
このように、室内用のゴルフ練習用具、特にアプローチ練習を意図したものは、ボールが室内に散乱しないように、練習者の方に開口部を有する箱型タイプの練習用具が好ましく、しかも簡単に組み立てることが可能で、且つ小さく折り畳んで収納できるものが好ましい。
また、こうしたゴルフ練習用具の実現のために、それに適した種々の構造の開発が必要である。
【０００８】
【特許文献１】
特開平８−２５２３５０号公報
【特許文献２】
特開平６−２５４１８８号公報
【特許文献３】
特開２０００−１６７０９６号公報
【特許文献４】
特開平５−３１７４７６号公報
【０００９】
【発明が解決しようとする課題】
本発明は、かかる実状を背景に、上記問題点を克服するためになされたものである。
すなわち、本発明の目的は、練習者に向けて開口部が大きく開口した、簡単に組み立て可能で小さく折り畳んで収納できる箱型タイプのゴルフ練習用具を提供することである。
【００１０】
【課題を解決するための手段】
かくして、本発明者は、このような課題背景に対して、鋭意研究を重ねた結果、箱型タイプのゴルフ練習用具の枠体を、リング体を本体とするリング構造で形成することにより、ゴルフ練習用具として容易に組み立て或いは折り畳むようにすることができることを見出し、この知見に基づいて本発明は完成させたものである。
【００１１】
即ち、本発明は、（１）、開口部を練習者に向けて使用する枠体を有する箱型のゴルフ練習用具であって、枠体をリング構造で形成したゴルフ練習用具に存する。
【００１２】
そして、（２）、開口部を練習者に向けて使用する枠体を有する箱型のゴルフ練習用具であって、該開口部、右側面部、左側面部、及び背面部のそれぞれの枠体をリング構造で形成したゴルフ練習用具に存する。
【００１３】
そしてまた、（３）、前記リング構造は、長円状又は楕円状の形状記憶性を有するリング体を備えるゴルフ練習用具に存する。
【００１４】
そしてまた、（４）、前記リング体は、断面矩形状の金属のワイヤリングであるゴルフ練習用具に存する。
【００１５】
そしてまた、（５）、前記右側面部及び左側面部は、それぞれの枠体に張設されたネットで形成され、且つ前記背面部は、枠体に張設された可撓性シートで形成されているゴルフ練習用具に存する。
【００１６】
そしてまた、（６）、前記ゴルフ練習用具は、その上面部が前記開口部、右側面部、左側面部、及び背面部のそれぞれの枠体間に張設されたネットで形成され、且つその底面部は、前記背面部を形成する可撓性シートの下端が前方に延設され、前記開口部、右側面部、及び左側面部のそれぞれの枠体と該背面部の枠体との間に張設されて形成されているゴルフ練習用具に存する。
【００１７】
そしてまた、（７）、枠体を捩じるように折り込むことで、右側面部、左側面部、及び背面部がそれぞれ重なるように折り畳み可能であるゴルフ練習用具に存する。
【００１８】
そしてまた、（８）、更に枠体を捩じるように折り込むことで、右側面部、左側面部、及び背面部が更に２つに折り畳み可能であるゴルフ練習用具に存する。
【００１９】
本発明はこの目的に沿ったものであれば、上記１〜８の中から選ばれた２つ以上を組み合わせた構成も当然採用可能である。
【００２０】
【発明の実施の形態】
以下、図面に基づき、本発明のゴルフ練習用具のリング構造及びそれを用いたゴルフ練習用具の好適な実施の形態について述べる。
本発明のゴルフ練習用具は、開口部を練習者に向けて使用する枠体を有する箱型のゴルフ練習用具であって、枠体をリング構造で形成したことを特徴とする。
【００２１】
〔ゴルフ練習用具の構造〕
図１は、本発明のゴルフ練習用具の実施の形態を示す斜視図である。
また、図２（Ａ）はこの構成例の正面図、（Ｂ）は右側面図、（Ｃ）は背面図を示し、図３（Ａ）はこの構成例の上面図、（Ｂ）は底面図を示す〔図２において左側面図は（Ｂ）の右側面図と対称に表されるので便宜上示さない〕。
【００２２】
これらの図に示すように、本発明のゴルフ練習用具Ａは、開口部１を練習者に向けて使用する箱型のゴルフ練習用具であり、主に室内用のアプローチ練習用具として用いられることを意図している。
ゴルフ練習用具Ａは、開口部１、右側面部２、左側面部３、背面部４、上面部５、及び底面部６を備える。
【００２３】
この構成例では、開口部１、右側面部２、左側面部３、及び背面部４のそれぞれの枠体１１、２１、３１、及び４１がリング構造で形成されている。
ここで、このリング構造は本発明特有のものであり、本発明のゴルフ練習用具に特有の機能を与えるものであるから、以下、説明する。
【００２４】
〔リング構造について〕
図４は、リング構造を構成するリング体を示した図である。
本発明特有のリング構造Ｂは、長円状又は楕円状のリング体Ｂ１を備える。
リング体Ｂ１がリング構造Ｂの本体を構成する。
リング体Ｂ１は、このように長円状又は楕円状のリング状に形成されているため、外部から力が加わった場合にはある程度の反発力を示しながら弾性的に追従し、力が加わらなくなると元に戻る、いわゆる弾圧的に曲げ戻し可能な形状記憶性を有する（図中の１点鎖線参照）。
【００２５】
本構成例においては、リング体Ｂ１は、図４の円内に示すように、断面矩形状のワイヤリングであり、その材質は金属製（クロメート鍍金製）のものを用いている。
このような断面矩形状のワイヤリングは、上記の形状記憶性に優れるため好ましい。
しかし、形状記憶性を発揮し得るものであれば、例えば、断面円形状のものも、或いは材質としてプラスチック等を用いることも可能である。
【００２６】
〔リング構造で形成される枠体について〕
図１等に示したゴルフ練習用具Ａの構成例では、開口部１の枠体１１は本発明特有のリング構造で形成されている。
図５は、図１のゴルフ練習用具ＡのＡ１部分の拡大図である。
図６は、図５のＡ１部分のＸ−Ｘ線に沿う断面模式図である。
【００２７】
本構成例の開口部１の枠体１１は、上記リング構造Ｂで形成されている。
即ち、枠体１１は、主に、リング体Ｂ１ａと、このリング体Ｂ１ａをその外側から覆う外バイアステープ１２と、内バイアステープ１３とよりなる。
また、Ａ１部分では、後述するように上面部５を形成するネット５１が枠体１１に逢着され張設される。
【００２８】
より具体的に言えば、開口部１の枠体１１（のＡ１部分）は、リング体Ｂ１ａをその外側から覆う外バイアステープ１２の端縁１２ａ、１２ｂ及び上面部５を形成するネット５１の端縁５１ａを、内バイアステープ１３で覆うようにして、これらを同時に逢着位置１４にて逢着することによって構成されている。
そして外バイアステープ１２の中で回動や捩れが行える自由度を有している。
【００２９】
〔リング構造の機能その１〕
このように、本発明のゴルフ練習用具Ａは、その開口部１の枠体１１を本発明特有のリング構造Ｂで形成すれば、このリング構造Ｂの本体であるリング体Ｂ１の形状記憶性により、練習者に向けて開口部１を大きく開口した状態に保つことができ、好ましい。
また、図６に示したように、リング体Ｂ１が枠体１１に縫い込んであるため、従来のようにパイプ等で骨組みを形成したり、パイプ等をネットの網の目に挿通したりする必要がなく、組み立てや折り畳み収納を簡単に行うことができる。
【００３０】
〔右側面部等の枠体のリング構造について〕
図１に示すゴルフ練習用具Ａの構成例においては、上記開口部１以外に、右側面部２、左側面部３、及び背面部４の枠体２１、３１、及び４１も、本発明特有のリング構造Ｂで形成されている。
図７は、ゴルフ練習用具Ａの右側面部のみを取り出した状態を示す図である。
【００３１】
右側面部２の枠体２１は、上記の開口部１の場合と同様に、本発明特有のリング構造Ｂで形成されている。
即ち、右側面部２の枠体２１は、リング体Ｂ１ｂをその外側から覆う外バイアステープ２３の端縁及び右側面部２に張設されるネット２２の端縁を、内バイアステープ２４で覆うようにして、これらを同時に逢着することによって構成されている。
そして、上述したリング体Ｂ１と同じように、外バイアステープ２３の中で動きの自由度を持っている。
【００３２】
また、右側面部２は、開口部１の右側にて右側面部２と開口部１の枠体同士を例えば逢着することにより、開口部１に結合させることができる。
図８は、図１のゴルフ練習用具ＡのＡ２部分の断面模式図である（断面を上から見た場合を示す）。
【００３３】
この構成例においては、開口部１の枠体１１のリング体Ｂ１ａを外側から覆う外バイアステープ１２の端部と、右側面部２の枠体２１のリング体Ｂ１ｂを外側から覆う外バイアステープ２３の端部と、右側面部２に張設されるネット２２の端部とを、内バイアステープ１３（又は２４）で覆うようにして、これらを同時に逢着位置１５にて逢着している。
ここでも、リング体Ｂ１ｂは外バイアステープ１２、２３の中で動きの自由度を持っている。
【００３４】
左側面部３及びその枠体３１は、構造及び開口部１への取り付けられ方の点で上記の右側面部２とまったく対称的に表され、以上の右側面部２についての説明は、同様に左側面部３についても当てはまる。
また、背面部４（図１参照）も、その枠体４１が本発明特有のリング構造Ｂで形成され、図８に示したのと同様の方法で、右側面部２及び左側面部３に逢着される。
【００３５】
〔右側面部等の材質等について〕
ここで、ゴルフ練習用具Ａの右側面部２等の材質について述べる。
先述したように、右側面部２及び左側面部３は、それぞれの枠体２１及び３１に張設されたネット２２及び３２（図１参照）で形成されていると好ましい。
ネットを用いることにより、ゴルフ練習用具Ａの内部空間を明るくすることができ、例えばポリエステル製のネットを用いれば軽量で伸縮性を持たせることができるからである。
【００３６】
また、背面部４は、枠体４１に張設された可撓性シート４２で形成されていると好ましい。
ネットを用いてもよいが、ゴルフ練習用具Ａの背後が透けて見えて練習がしにくくなり、可撓性シートであればそうした可能性を回避でき、ショットに集中することができる。
【００３７】
ゴルフ練習用具Ａの上面部５は、図１や図３（Ａ）、図５等に示したように、開口部１、右側面部２、左側面部３、及び背面部４のそれぞれの枠体１１、２１、３１、及び４１間に張設されたネット５１で形成されていれば、ネット２２及び３２と同様にゴルフ練習用具Ａの内部空間を明るくすることができ、好ましい。
また、底面部６は、背面部４の枠体４１に張設された可撓性シート４２の下端を前方に延設し、開口部１、右側面部２、及び左側面部３のそれぞれの枠体１１、２１、及び３１と背面部４の枠体４１との間に張設されて形成されていれば好ましい。
【００３８】
〔リング構造の機能その２〕
以上のように、本発明のゴルフ練習用具Ａの開口部１、右側面部２、左側面部３、及び背面部４のそれぞれの枠体１１、２１、３１、及び４１を、本発明特有のリング構造Ｂで形成すれば、以下の機能を発揮することができ、好ましい。
【００３９】
先ず、開口部１を練習者に向けて大きく開口した状態に保つことができるのは、先述した通りである。
また、図１のように組み立てた場合、ゴルフ練習用具Ａを４つのリング構造で支える状態にすることができる。
そのため、ゴルフ練習用具Ａは自立性に優れたものとなる。
【００４０】
尚、本構成例では、開口部１をより大きく開口するように形成したため、開口部１がゴルフ練習用具Ａの前方でいわば突っ張る状態となり、そのままではゴルフ練習用具Ａ全体が後方に傾く〔例えば図２（Ｂ）参照〕。
そのため、図１に示したように、ゴルフ練習用具Ａの下部に脚部７を装着している。
【００４１】
具体的には、図９に示すように、脚部７の脚体７１及び腕体７２をそれぞれ背面部４に設けた筒体４ａ及び底面部６に設けた筒体６ａに挿通し、脚部７と開口部１の枠体１１の下部とでゴルフ練習用具Ａ全体を支えている。
しかし、ゴルフ練習用具Ａを、このような脚部７を装着せずに自立するように形成可能であることは言うまでもない。
【００４２】
もう一つの機能としては、リング構造Ｂの本体であるリング体Ｂ１が形状記憶性を有するため、右側面部２、左側面部３、及び背面部４に張設されるネット２２、３２や可撓性シート４２に張りを持たせることができる（図７等参照）。
同様に、上面部５のネット５１や底面部６の可撓性シート６１も弛まずに張設することができる。
【００４３】
更に特徴ある機能としては、リング体Ｂ１が弾圧的に曲げ戻し可能になっており、開口部１、右側面部２、左側面部３、及び背面部４のそれぞれの枠体１１、２１、３１、及び４１に自由度を持って縫い込んであるため、パイプ等による堅固な骨組みを必要とせず、組み立てや折り畳み収納を簡単に行うことができるという点を挙げることができる。
【００４４】
この点について、ゴルフ練習用具Ａを折り畳んで収納する方法を例にとって説明する。
因みに、ゴルフ練習用具Ａを収納した状態から組み立てるには、以下に述べる方法を逆に行えばよい。
【００４５】
図１０は、ゴルフ練習用具Ａを折り畳む手順を説明する図である。
図示しないが、図１に示した構成例のように、脚部７を装着するタイプのものであれば、先ずこの脚部７を取り外す。
次に、図１０（Ａ）に示すように、右側面部２の枠体２１を背面部４に向かって内側に折り込む（図中の矢印参照）。
【００４６】
この際、枠体に用いられるリング体の形状記憶性により、右側面部２の枠体２１の折り込みには、最初のうち抵抗感がある。
しかし、更に折り込むと、リング体の形状記憶性の作用により、ある地点から急速に右側面部２が背面部４に向かっていわば自動的に倒れ込み、右側面部２の枠体２１と背面部４の枠体４１とがほぼ重なる状態となる。
その際同時に、開口部１の枠体１１も左側面部３の枠体３１と重なる状態となる〔図１０（Ｂ）参照〕。
尚、この場合、リング体は枠体内で自由に回り込むことができる。
【００４７】
そして、更に、図１０（Ｂ）の矢印方向に折り畳むことにより、図１０（Ｃ）に示すようにすべての面が平面的に重なるようにすることができる。
実際には、ゴルフ練習用具Ａは、図１０（Ｂ）の状態になると、自重等で、いわば自動的に図１０（Ｃ）に示す如く左側面部３、右側面部２及び背面部４が相互に重なった状態になる。
【００４８】
本発明のゴルフ練習用具Ａは、この状態で〔即ち図１０（Ｃ）の状態で〕壁に立て掛けたり袋に入れる等して、保管・収納することもできる。
しかし、ゴルフ練習用具Ａは、リング体Ｂ１がリング構造特有の柔軟性を持つことから、更に小さく折り畳むことができる。
【００４９】
即ち、図１１（Ａ）に示すように、図１０（Ｃ）の状態のゴルフ練習用具Ａを捩じり込むことにより、両輪を形成する。
次に、図１１（Ｂ）に示すように、一方の輪を他方の輪に重ねるように折り込む。
【００５０】
このような操作を行うことにより、図１１（Ｃ）のような状態にまで小さく折り畳むことができるのである。
この際、先述したように、右側面部２、左側面部３、背面部４、上面部５、及び底面部６が、ネットや可撓性シートで構成されていれば、図１０や図１１の折り畳みの際に邪魔にならずにスムーズに追従することができる。
【００５１】
このように、本発明のゴルフ練習用具Ａは、リング体Ｂ１の形状記憶性及びリング構造特有の柔軟性により、折り畳みが非常に容易であり、更に小さく折り畳んで収納することができる。
また、逆に、折り畳まれた状態から簡単に組み立てることができ、脚部を装着する場合でも非常に簡単に行うことができる。
【００５２】
〔本発明のゴルフ練習用具Ａの変形例〕
図１２は、本発明のゴルフ練習用具Ａの変形例を示す斜視図である。
この変形例Ｃは、図１に示したゴルフ練習用具Ａの内部に標的幕８を着脱自在に設けたものである。
標的幕８は、その上端に面ファスナ（図示しない）を備え、この面ファスナを、上面部５のネット５１の内側に設けた面ファスナ５２〔図３（Ａ）参照〕に係止させることにより、上面部５から内部に向けて垂下されるものである。
【００５３】
また、この変形例では、標的幕８には的穴８１が４段に設けられており、各的穴８１の背側にはネット状のボール収容部８１ａがそれぞれ設けられている。
このボール収容部８１ａは袋状に形成されており、ゴルフボールが的穴８１に入ると、そのままボール収容部８１ａに収まり、下には落ちないようになっている。
そのため、練習者は、狙った的穴にボールが入ったかどうかを、ボールを打った直後に頭を動かして確認しなくても済むため、アプローチの練習を適切に行うことが可能となる。
【００５４】
また、この変形例Ｃでは、開口部１の下部に前面部９が形成されており、的穴８１を外れて落下したボールを確保し、ボールがゴルフ練習用具Ｃの手前側に転がり出ることを防止することができる。
例えば、マンション等の集合住宅の場合、ボールがフローリングの床や床タイル等の上を跳ねたり転がったりする音が階下に響く場合があるが、前面部９を形成すればそうした事態を避けることができる。
【００５５】
更に、この変形例Ｃでは、脚部７を装着している。
脚部７を装着することにより、図９に示したように、底面部６を床Ｆから浮かせた状態にすることができる。
このように、底面部６を床Ｆから浮かせることにより、的穴８１を外れたボールが底面部６に落下して、底面部６を介して床Ｆに衝突するのを防止でき、上記と同様に、騒音の発生を防止することが可能となる。
【００５６】
以上、本発明を説明してきたが、本発明は実施形態にのみ限定されるものではなく、その本質を逸脱しない範囲で、他の種々の変形例が可能であることは言うまでもない。
例えば、図１等に示したような、いわゆる縦長の箱型タイプ以外にも、横長に形成したり、開口部１が正方形状になるように形成したりすることも当然可能である。
【００５７】
また、図１や図１２等のゴルフ練習用具Ａに、例えば、カップ用穴付きのパター用人工芝マットを組み合わせた構成にすることも当然可能であり、適宜行われる。
更に、標的幕８のかわりに、同心円状の的を垂下してもよい。
また、開口部を上面部にまで及ぶようにすることも可能である。
【００５８】
【発明の効果】
本発明によれば、箱型タイプのゴルフ練習用具を、練習者に向けて開口部を大きく開口した状態に形成し、また簡単に組み立て可能で小さく折り畳んで収納することが可能となる。
また、開口部、左右の側面部、及び背面部にリング構造を用いることで、ゴルフ練習用具を自立性に優れたものとすることができ、更に、ゴルフ練習用具を非常に小さく折り畳むことが可能となる。
【図面の簡単な説明】
【図１】図１は、本発明のゴルフ練習用具の構成例を示す斜視図である。
【図２】図２（Ａ）は、図１のゴルフ練習用具の構成例の正面図、（Ｂ）は右側面図、（Ｃ）は背面図を示す。
【図３】図３（Ａ）は、図１のゴルフ練習用具の構成例の上面図、（Ｂ）は底面図を示す。
【図４】図４は、リング構造を構成するリング体を示した図である。
【図５】図５は、図１のゴルフ練習用具ＡのＡ１部分の拡大図である。
【図６】図６は、図５のＡ１部分のＸ−Ｘ線に沿う断面模式図である。
【図７】図７は、ゴルフ練習用具Ａの右側面部のみを取り出した状態を示す図である。
【図８】図８は、図１のゴルフ練習用具ＡのＡ２部分の断面模式図である。
【図９】図９は、脚部を装着した状態のゴルフ練習用具Ａの下部の概略図である。
【図１０】図１０は、ゴルフ練習用具Ａを折り畳む手順を説明する図である。
【図１１】図１１は、図１０（Ｃ）の状態のゴルフ練習用具Ａを更に小さく折り畳む手順を説明する図である。
【図１２】図１２は、本発明のゴルフ練習用具Ａの変形例を示す斜視図である。
【符号の説明】
Ａ…ゴルフ練習用具
Ｂ…リング構造
Ｂ１、Ｂ１ａ、Ｂ１ｂ…リング体
Ｃ…ゴルフ練習用具の変形例
Ｆ…床
１…開口部
１１…枠体
１２…外バイアステープ
１２ａ、１２ｂ…端縁
１３…内バイアステープ
１４、１５…逢着位置
２…右側面部
２１…枠体
２２…ネット
２３…外バイアステープ
２４…内バイアステープ
３…左側面部
３１…枠体
３２…ネット
４…背面部
４ａ…筒体
４１…枠体
４２…可撓性シート
５…上面部
５１…ネット
５１ａ…端縁
５２…面ファスナ
６…底面部
６ａ…筒体
６１…可撓性シート
７…脚部
７１…脚体
７２…腕体
８…標的幕
８１…的穴
８１ａ…ボール収容部
９…前面部
【図１】
2004254943.tif 000003
【図２】
2004254943.tif 000004
【図３】
2004254943.tif 000005
【図４】
2004254943.tif 000006
【図５】
2004254943.tif 000007
【図６】
2004254943.tif 000008
【図７】
2004254943.tif 000009
【図８】
2004254943.tif 000010
【図９】
2004254943.tif 000011
【図１０】
2004254943.tif 000012
【図１１】
2004254943.tif 000013
【図１２】
2004254943.tif 000014